【手続補正書】
【提出日】平成16年4月19日(2004.4.19)
【手続補正１】
【補正対象書類名】明細書
【補正対象項目名】特許請求の範囲
【補正方法】変更
【補正の内容】
【特許請求の範囲】
【請求項１】
少なくとも第１及び第２の通信機器を備えて、それぞれの通信機器の間で所定の通信方式による無線通信を行う通信方法において、
上記第１の通信機器で、所定の接続操作が行われた場合に、
送信可能な距離を短距離に制限した上で、無線通信の接続対象となる機器を発見するための問い合わせメッセージを無線送信し、
上記第２の通信機器で、所定の待ち受け操作が行われた場合に、
上記問い合わせメッセージを受信させて、その受信した問い合わせメッセージに対する応答メッセージを無線送信し、
上記第１の通信機器は、応答メッセージを受信した場合に、上記第２の通信機器との間で接続処理を行う
通信方法。
【請求項２】
請求項１記載の通信方法において、
上記送信可能な距離を短距離に制限する処理は、送信電力を通常の無線通信時の送信電力よりも制限された値に設定する処理である
通信方法。
【請求項３】
請求項１記載の通信方法において、
所定の接続操作による問い合わせメッセージの無線送信、及び／又は、所定の待ち受け操作による問い合わせメッセージの受信は、それぞれの通信機器に用意された操作手段を連続的に操作している間に実行する
通信方法。
【請求項４】
請求項１記載の通信方法において、
上記接続処理後に、第１又は第２の通信機器で実行中のプログラムに応じたデータの転送処理を実行する
通信方法。
【請求項５】
請求項１記載の通信方法において、
上記第２の通信機器は、問い合わせメッセージの受信感度を低下させて、短距離から無線送信された問い合わせメッセージだけを受信できるようにした
通信方法。
【請求項６】
請求項１記載の通信方法において、
上記第１の通信機器での接続操作と、上記第２の通信機器での待ち受け操作とは、共通の操作とし、この共通の操作が行われた場合に、問い合わせメッセージの送信処理と、問い合わせメッセージの受信処理とを交互に行うようにした
通信方法。
【請求項７】
請求項１記載の通信方法において、
上記第１の通信機器での接続操作は、問い合わせメッセージの種別と区別可能な限定問い合わせメッセージであり、上記第２の通信機器はその限定問い合わせメッセージを待ち受けるようにした
通信方法。
【請求項８】
請求項７記載の通信方法において、
上記第１の通信機器での接続操作は、送信すべき汎用あるいは任意の限定問い合わせメッセージを選択するようになされており、上記第２の通信機器は、待ち受けるべき汎用もしくは任意の限定問い合わせを選択するようにした
通信方法。
【請求項９】
少なくとも第１及び第２の通信機器を備えて、それぞれの通信機器の間で所定の通信方式による無線通信を行う通信システムにおいて、
上記第１の通信機器として、
無線信号の送信及び受信を行う通信処理手段と、
接続操作手段と、
上記接続操作手段が操作された場合に、送信可能な距離を短距離に制限した状態で、上記通信処理手段から問い合わせメッセージを送信させ、その問い合わせメッセージに対する応答メッセージを受信した場合に、応答メッセージの送信元と接続処理を行う制御手段とを備え、
上記第２の通信機器として、
無線信号の送信及び受信を行う通信処理手段と、
待ち受け操作手段と、
上記待ち受け操作手段が操作された場合に、上記通信処理手段で上記問い合わせメッセージを受信させて、その受信した問い合わせメッセージに対する応答メッセージを上記通信処理手段で無線送信させる制御手段とを備えた
通信システム。
【請求項１０】
請求項９記載の通信システムにおいて、
上記第１の通信機器で、送信可能な距離を短距離に制限させる処理は、上記通信処理手段での送信電力を通常の無線通信時の送信電力よりも制限された値に設定する処理である
通信システム。
【請求項１１】
請求項９記載の通信システムにおいて、
上記第１の通信機器の接続操作手段が連続的に操作されている間に、上記第１の通信機器の制御手段が問い合わせメッセージを送信させ、
上記第２の通信機器の待ち受け操作手段が連続的に操作されている間に、上記第２の通信機器の制御手段が問い合わせメッセージを受信させる
通信システム。
【請求項１２】
請求項９記載の通信システムにおいて、
上記第１の通信機器の制御手段による接続処理が完了した場合に、第１又は第２の通信機器で実行中のプログラムに応じたデータの転送処理を実行する
通信システム。
【請求項１３】
請求項９記載の通信システムにおいて、
上記第２の通信機器の通信処理手段は、問い合わせメッセージの受信感度を低下させて、短距離から無線送信された問い合わせメッセージだけを受信できるようにした
通信システム。
【請求項１４】
請求項９記載の通信システムにおいて、
上記第１の通信機器の接続操作手段と、上記第２の通信機器の待ち受け操作手段は、共通の操作手段とし、
この共通の操作手段が操作された場合に、それぞれの通信機器の制御手段は、問い合わせメッセージの送信処理と、問い合わせメッセージの受信処理とを通信処理手段で交互に実行させる制御を行う
通信システム。
【請求項１５】
請求項９記載の通信システムにおいて、
上記第１の通信機器での問い合わせメッセージは、汎用の問い合わせメッセージと区別可能な限定問い合わせメッセージとし、上記第２の通信機器はその限定問い合わせメッセージを待ち受けるようにした
通信システム。
【請求項１６】
請求項９記載の通信システムにおいて、
上記第１の通信機器での接続操作は、送信すべき汎用あるいは任意の限定問い合わせメッセージを選択するようになされており、上記第２の通信機器は、待ち受けるべき汎用もしくは任意の限定問い合わせを選択するようにした
通信システム。
【請求項１７】
他の通信機器との間で所定の通信方式による無線通信を行う通信機器において、
無線信号の送信及び受信を行う通信処理手段と、
接続操作手段と、
待ち受け操作手段と、
上記接続操作手段が操作された場合に、送信可能な距離を短距離に制限した状態で、上記通信処理手段から問い合わせメッセージを送信させ、その問い合わせメッセージに対する応答メッセージを受信した場合に、応答メッセージの送信元と接続処理を行う制御手段とを備え、
上記待ち受け操作手段が操作された場合に、上記制御手段は、上記通信処理手段で問い合わせメッセージに対する応答メッセージを上記通信処理手段で通信させ、
上記接続操作手段と待ち受け操作手段は、共通の操作手段とし、この共通の操作手段が操作された場合に、上記制御手段は、問い合わせメッセージの送信処理と、問い合わせメッセージの受信処理とを上記通信処理手段で交互に実行させる制御を行う
通信機器。
【請求項１８】
請求項１７記載の通信機器において、
送信可能な距離を短距離に制限させる処理は、通信処理手段での送信電力を通常の無線通信時の送信電力よりも制限された値に設定する処理である
通信機器。
【請求項１９】
請求項１７記載の通信機器において、
上記接続操作手段が連続的に操作されている間に、上記制御手段は問い合わせメッセージを送信させる処理を行う
通信機器。
【請求項２０】
請求項１７記載の通信機器において、
上記制御手段による接続処理が完了した場合に、実行中のプログラムに応じたデータの転送処理を実行する
通信機器。
【請求項２１】
請求項１７記載の通信機器において、
待ち受け操作手段を備えて、
上記待ち受け操作手段が操作された場合に、上記制御手段は、上記通信処理手段で問い合わせメッセージを受信させて、その受信した問い合わせメッセージに対する応答メッセージを上記通信処理手段で無線送信させる
通信機器。
【請求項２２】
請求項１７記載の通信機器において、
上記接続操作手段は、問い合わせメッセージの種別を選択する手段を含み、選択された任意の種別の問い合わせメッセージを送信できるようにした
通信機器。
【請求項２３】
請求項１７記載の通信機器において、
上記待ち受け操作手段が連続的に操作されている間に、上記制御手段は問い合わせメッセージを受信させる処理を行う
通信機器。
【請求項２４】
請求項１７記載の通信機器において、
上記通信処理手段は、問い合わせメッセージの受信感度を低下させて、短距離から無線送信された問い合わせメッセージだけを受信できるようにした
通信機器。
【請求項２５】
請求項１７記載の通信機器において、
上記待ち受け操作手段は、待ち受けるべき問い合わせメッセージを選択する手段を含み、選択された任意の種別の問い合わせメッセージを受信できるようにした
通信機器。